(57)【要約】【課題】行灯等の古来の照明装置により類似するように光量が変化する照明装置を提供する。【解決手段】この照明装置は、４個の光源１１ａ、１１ｂ、１１ｃ、１１ｄを有する光源手段１１と、風を検出する風検出手段３、２１、２２ａと、風が検出されると時間的に変化するパターンデータを生成するパターンデータ生成手段２３ａと、ランダムデータを発生するランダムデータ発生手段２４と、ランダムデータを変換し、ゆらぎ中心値を中心にして変化するゆらぎデータを生成するゆらぎデータ生成手段２５ａと、パターンデータとゆらぎデータとを加算する演算手段２６と、演算手段２６の出力に応じて光源手段１１の光量を調整する光源光量調整手段２７と、を備える。【選択図】図３
2007194176.tif 000002
【特許請求の範囲】
【請求項１】
少なくとも第１と第２の光源を有する光源手段と、
所定の空気が流れると風検出信号を出力する風検出手段と、
風検出信号により時間的に値が変化するパターンデータを生成するパターンデータ生成手段と、
ランダムデータを発生させるランダムデータ発生手段と、
ランダムデータを変換し、ゆらぎ中心値を中心にして変化するゆらぎ正データとそれをゆらぎ中心値を基準に反転したゆらぎ反転データとを生成するゆらぎデータ生成手段と、
ゆらぎ正データとパターンデータとを加算及びゆらぎ反転データとパターンデータとを加算して２個の光量調整データを生成する演算手段と、
演算手段が出力する２個の光量調整データの信号に応じて前記第１と第２の光源の光量を調整する光源光量調整手段と、
を備えてなることを特徴とする照明装置。
【請求項２】
請求項１に記載の照明装置において、
前記パターンデータは、風を検出するとその値は増加して減少し、再度異なる値でもって増加して減少するものであることを特徴とする照明装置。
【請求項３】
少なくとも第１と第２の光源を有する光源手段と、
所定の空気が流れると風検出信号を出力する風検出手段と、
風検出信号により時間的に値が変化するパターンデータを生成するパターンデータ生成手段と、
ランダムデータを発生させるランダムデータ発生手段と、
ランダムデータを変換し、ゆらぎ中心値を中心にして変化するゆらぎ正データとそれをゆらぎ中心値を基準に反転したゆらぎ反転データとを生成するゆらぎデータ生成手段と、
データ生成手段が出力するゆらぎ正データの信号とゆらぎ反転データの信号に応じて前記第１と第２の光源の光量を調整する光源光量調整手段と、
光源手段への印加電圧を調整するＤＣ／ＤＣ変換手段と、
パターンデータの値に応じてＤＣ／ＤＣ変換手段を制御するＤＣ／ＤＣ制御手段と、
を備えてなることを特徴とする照明装置。
【請求項４】
請求項１乃至３のいずれかに記載の照明装置において、
前記光源手段は第３と第４の光源を更に有し、
第３の光源は、光量が第１の光源の光量と実質的に同じく調整され、第４の光源は、光量が第２の光源の光量と実質的に同じく調整されることを特徴とする照明装置。
【請求項５】
請求項１乃至４のいずれかに記載の照明装置において、
前記パターンデータ生成手段は、風検出信号を固定の検出レベルと比較することを特徴とする照明装置。
【請求項６】
請求項１乃至４のいずれかに記載の照明装置において、
前記風検出手段は、積分回路を通して風検出信号を出力し、
前記パターンデータ生成手段は、風検出信号をＡＤ変換器でＡＤ変換することを特徴とする照明装置。
【請求項７】
請求項１乃至６のいずれかに記載の照明装置において、
前記風検出手段は、上端が揺動自在に筐体に結合された第１の導電部材と、上端が揺動しないように筐体に結合された第２の導電部材と、を有し、
所定の空気が流れると第１の導電部材が第２の導電部材に触れて電流が流れることによって風を検出することを特徴とする照明装置。
【発明の詳細な説明】
【技術分野】
【０００１】
本発明は、所定の空気の流れがあったときに光源手段の光量が変化し、しかも、その光量が行灯などの光に似てゆらぐ照明装置に関する。
【背景技術】
【０００２】
通常の実用的な照明装置は、所望の光量が安定して変化しないようにしているのが一般的である。このような実用的な照明装置に対し、情緒的な雰囲気を得るために、制御により意識的に光量が変化するようにした照明装置も開発或いは提案されている。例えば、特許文献１に記載されている照明装置は光量が（１／ｆ）特性を持つようにゆらぐものであり、特許文献２に記載されている照明装置は風、温度、湿度等の影響を受けて光量が変化するものである。
【０００３】
【特許文献１】特開平２−４４６９３号公報
【特許文献２】特開平５−１２１１７５号公報
【発明の開示】
【発明が解決しようとする課題】
【０００４】
ところで、これらの制御により光量が変化する照明装置は、行灯、提灯、ローソク等の古来の照明装置に似せて光量が変化するようにしているので、一応それらの代わりに使用することはできる。しかし、特許文献１の例では、長時間の継続使用では周期的に同じ変化を繰り返すことに違和感を覚えることがあり、特許文献２の例では、空気の流れ、つまり風の変化がなければ光量が変化しない通常の照明装置と同じものとなる。
【０００５】
本発明は、係る事由に鑑みてなされたものであり、その目的は、行灯等の古来の照明装置により類似するように光量が変化する照明装置を提供することにある。
【課題を解決するための手段】
【０００６】
上記目的を達成するために、請求項１に記載の照明装置は、少なくとも第１と第２の光源を有する光源手段と、所定の空気が流れると風検出信号を出力する風検出手段と、風検出信号により時間的に値が変化するパターンデータを生成するパターンデータ生成手段と、ランダムデータを発生させるランダムデータ発生手段と、ランダムデータを変換し、ゆらぎ中心値を中心にして変化するゆらぎ正データとそれをゆらぎ中心値を基準に反転したゆらぎ反転データとを生成するゆらぎデータ生成手段と、ゆらぎ正データとパターンデータとを加算及びゆらぎ反転データとパターンデータとを加算して２個の光量調整データを生成する演算手段と、演算手段が出力する２個の光量調整データの信号に応じて前記第１と第２の光源の光量を調整する光源光量調整手段と、を備えてなることを特徴とする。
【０００７】
請求項２に記載の照明装置は、請求項１に記載の照明装置において、前記パターンデータは、風を検出するとその値は増加して減少し、再度異なる値でもって増加して減少するものであることを特徴とする。
【０００８】
請求項３に記載の照明装置は、少なくとも第１と第２の光源を有する光源手段と、所定の空気が流れると風検出信号を出力する風検出手段と、風検出信号により時間的に値が変化するパターンデータを生成するパターンデータ生成手段と、ランダムデータを発生させるランダムデータ発生手段と、ランダムデータを変換し、ゆらぎ中心値を中心にして変化するゆらぎ正データとそれをゆらぎ中心値を基準に反転したゆらぎ反転データとを生成するゆらぎデータ生成手段と、データ生成手段が出力するゆらぎ正データの信号とゆらぎ反転データの信号に応じて前記第１と第２の光源の光量を調整する光源光量調整手段と、光源手段への印加電圧を調整するＤＣ／ＤＣ変換手段と、パターンデータの値に応じてＤＣ／ＤＣ変換手段を制御するＤＣ／ＤＣ制御手段と、を備えてなることを特徴とする。
【０００９】
請求項４に記載の照明装置は、請求項１乃至３のいずれかに記載の照明装置において、前記光源手段は第３と第４の光源を更に有し、第３の光源は、光量が第１の光源の光量と実質的に同じく調整され、第４の光源は、光量が第２の光源の光量と実質的に同じく調整されることを特徴とする。
【００１０】
請求項５に記載の照明装置は、請求項１乃至４のいずれかに記載の照明装置において、前記パターンデータ生成手段は、風検出信号を固定の検出レベルと比較することを特徴とする。
【００１１】
請求項６に記載の照明装置は、請求項１乃至４のいずれかに記載の照明装置において、前記風検出手段は、積分回路を通して風検出信号を出力し、前記パターンデータ生成手段は、風検出信号をＡＤ変換器でＡＤ変換することを特徴とする。
【００１２】
請求項７に記載の照明装置は、請求項１乃至６のいずれかに記載の照明装置において、前記風検出手段は、上端が揺動自在に筐体に結合された第１の導電部材と、上端が揺動しないように筐体に結合された第２の導電部材と、を有し、所定の空気が流れると第１の導電部材が第２の導電部材に触れて電流が流れることによって風を検出することを特徴とする。
【発明の効果】
【００１３】
本発明の照明装置によれば、空気が流れない場合を含む空気の流れに応じて時間的に値が変化するパターンデータと、ゆらぎ中心値を中心にして変化する２個のゆらぎデータと、に応じて少なくとも２個の光源の光量を調整するので、行灯等の古来の照明装置により類似するように光量が変化する照明を実現することができる。
【発明を実施するための最良の形態】
【００１４】
以下、本発明を実施するための最良の形態を図面を参照しながら説明する。図１は本発明の実施形態に係る照明装置１の正面視断面図である。この照明装置１は、制御により光量が変化する光源手段１１を含む照明本体部２と、照明本体部２の下方に設けられた風を検出するための風検出機構部３と、風検出機構部３の下方に設けられ、照明本体部２に電源電圧ＶＣＣを供給するバッテリ部４と、から構成される。これらの照明本体部２、風検出機構部３、バッテリ部４のそれぞれの筐体５ａ、５ｂ、５ｃは互いに連結固定され、一体の筐体５を形成している。
【００１５】
照明本体部２は、４方向に放射されるように設置された４個の光源、すなわち第１の光源１１ａ、第２の光源１１ｂ、第３の光源１１ｃ、第４の光源１１ｄからなる光源手段１１と、光源手段１１の光量を制御する光量制御部１２と、を含む。第４の光源１１ｄは、第２の光源１１ｂの裏側に設置されているので図１では隠れている。光源手段１１は、具体的にはＬＥＤを使用している。ＬＥＤは、使用者の好みに合わせた発光色を選択することになるが、行灯等の古来の照明装置に似せるために、例えばアンバー、黄色が選択される。光量制御部１２は、ＬＳＩなどの電子部品を搭載したプリント基板などからなる。照明本体部２の筐体５ａは、照明装置１が屋外で使用されることも多いため、防水性に優れた素材（例えばポリカーボネイト）が望ましい。また、少なくとも光源手段１１の周囲は透明あるいは半透明（白濁など）になっている。また、筐体５ａの内側にカラーフィルタを貼り付けることで放射光の色の調整をすることも可能である。半透明な筐体５ａやカラーフィルタは、放射光を拡散させる効果もある。
【００１６】
風検出機構部３は、上端が筐体５ｂの天板に揺動自在に結合された第１の導電部材３１と、上端が筐体５ｂの天板に揺動しないように結合された第２の導電部材３２と、を有する。具体的には、第１の導電部材３１は直線状部分３１ａを有し、第２の導電部材３２は直線状部分３１ａが挿通する円環状部分３２ａを有する。第１の導電部材３１と第２の導電部材３２は、機械式スイッチの接点として働き、所定の空気が流れると直線状部分３１ａが変位して円環状部分３２ａに触れることとなり、その結果、電流が流れて風を検出する。ここで、所定の空気の流れとは、風が吹いたと感じる程度に適宜に決められる。第１及び第２の導電部材３１、３２は、例えば、ステンレスなどの金属材料を用いる。また、第１の導電部材３１の下端には、風を受け易いように風受け部材３３が取り付けられている。風受け部材３３は、風検出の感度を上げるためには、軽量の素材、具体的にはプラスチック素材が望ましい。また、筐体５ｂは、風受け部材３３への空気の流れを阻害しないよう、例えば四隅に柱を立設して４側面を開放している。
【００１７】
この風検出機構部３は、風検出機構として風圧により抵抗値が変わったり電圧が発生したりする電子素子（ストレンゲージ、風圧センサなど）を用いたものと比較すると、基本構造が第１の導電部材３１と第２の導電部材３２からなるものであるから、雨水や結露による劣化又は破壊は殆ど発生することはない。なお、風検出機構部３は風鈴のイメージを有するため、美的効果を奏する。
【００１８】
バッテリ部４は、その内部に複数個（例えば電源電圧ＶＣＣの９Ｖを供給するために６個）の電池４１、４１、・・・を収納し、また、床や台などの上に安定して設置できるように、脚部４２、４２が取り付けられている。
【００１９】
照明装置１は、通常、設置する場所の雰囲気に合うように、例えば和紙、竹、木、ガラス、プラスチックなどを材料とする覆体でその一部又は全部を覆って使用する。図２は、覆体の一例である。この覆体６では、照明本体部２と風検出機構部３の上部を覆う部分６ａ及びバッテリ部４を覆う部分６ｃは、竹の枠組み６１と、透明プラスチックと和紙を貼り付けて形成したフィルム６２と、からなる。透明プラスチックと和紙を貼り付けて形成したフィルム６２は、照明装置１を保護したり放射光を拡散したりする効果がある。風検出機構部３の下部を覆う部分６ｂは、風受け部材３３に当たる風を遮らないように竹の枠組み６１のみからなる。
【００２０】
図３は照明装置１の回路を示すブロック図である。風検出手段は、前述した機械式スイッチの接点となる風検出機構部３の第１の導電部材３１と第２の導電部材３２が、電源電圧ＶＤＤと接地間にプルアップ抵抗器２１と直列接続され、その接続点に抵抗器とコンデンサからなるフィルタ回路２２ａを接続してなる。従って、風検出手段は、所定の空気が流れると第１の導電部材３１と第２の導電部材３２がオン状態になり電流が流れることにより風検出信号Ｓを出力する。プルアップ抵抗器２１とフィルタ回路２２ａは、光量制御部１２に設けられている。
【００２１】
また、光量制御部１２には、風検出手段から風検出信号Ｓが入力されると時間的に値が変化するパターンデータＡを生成するパターンデータ生成手段２３ａと、値が時間的にランダムに変化するランダムデータを発生させるランダムデータ発生手段２４と、ランダムデータを変換し、ゆらぎ中心値を中心にして変化するゆらぎデータ、すなわちゆらぎ正データＢ１とゆらぎ反転データＢ２を生成するゆらぎデータ生成手段２５ａと、これらのゆらぎデータＢ１、Ｂ２とパターンデータＡとを加算して光量調整データＣ１、Ｃ２を生成する演算手段２６と、演算手段２６が出力する光量調整データＣ１、Ｃ２の信号に応じて光源手段１１の光量を調整する光源光量調整手段２７と、光源手段１１への印加電圧を安定化するためのＤＣ／ＤＣ制御手段２８ａ及びＤＣ／ＤＣ変換手段２９と、が設けられている。
【００２２】
なお、パターンデータ生成手段２３ａ、ランダムデータ発生手段２４、ゆらぎデータ生成手段２５ａ、演算手段２６は、その全部又は一部が半導体集積回路（例えば、マイクロコンピュータ）上でハードウェア又はソフトウェアの形で実現され、バッテリ部４の電池４１、４１、・・・が供給する電源電圧ＶＣＣを降圧した電源電圧ＶＤＤで動作する。
【００２３】
光源手段１１は、第１〜第４の光源１１ａ〜１１ｄを有し、第１と第３の光源１１ａ、１１ｃの直列接続されたものと、第２と第４の光源１１ｂ、１１ｄの直列接続されたものが、光源光量調整手段２７とＤＣ／ＤＣ変換手段２９との間で並列接続されている。従って、第１の光源１１ａと第３の光源１１ｃの光量は実質的に同じく調整され、第２の光源１１ｂと第４の光源１１ｄの光量は実質的に同じく調整される。
【００２４】
次に、各部の動作を更に詳しく述べる。プルアップ抵抗器２１に接続される第２の導電部材３２の電圧は、空気が流れない場合（無風時）、すなわち、風が検出されない状態ではハイレベル（電源電圧ＶＤＤレベル）である。風が吹き、それにより第１の導電部材３１と第２の導電部材３２が触れてそれらに電流が流れると、第２の導電部材３２の電圧はローレベル（接地レベル）になる。こうして、風が検出される。第２の導電部材３２の電圧は、フィルタ回路２２ａを介してパターンデータ生成手段２３ａに風検出信号Ｓとして入力される。なお、フィルタ回路２２ａは、時定数が小さく、高周波ノイズを除去するためのものであり、風によって発生する信号にはほとんど影響しない。
【００２５】
無風時にはパターンデータ生成手段２３ａが生成するパターンデータＡの値はゼロである。パターンデータ生成手段２３ａは、入力信号（風検出信号）Ｓを固定の検出レベルと比較してローレベルと判断すると、図４に示すように２５ミリ秒毎に値が変化するような波形のパターンデータＡを生成する。パターンデータＡは、ＲＯＭ等の記憶手段（図示せず）に記憶されていたものである。このパターンデータＡは、具体的には、２５ミリ秒毎に１６の割合で徐々に直線的に値は増加し、３７５ミリ秒経過すると極大値の２４０になる。その後、２５ミリ秒毎に２４の割合で減少し、６２５ミリ秒経過すると値がゼロになる。つまり、値が極大値まで増加する速度よりも値がゼロまで減少する速度が速くなるようにしてある。次に、このパターンデータＡは、２５ミリ秒毎に８の割合で徐々に値は増加し、１０００ミリ秒経過すると極大値の１２０になる。つまり、この２番目の増加の極大値は１番目の増加の極大値よりも小さい。その後、２５ミリ秒毎に１２の割合で減少し、１２５０ミリ秒経過すると値がゼロになり、それが維持される。この２番目の増加及び減少は、揺り返しにより光量が再度増加して減少するようにするためのものである。
【００２６】
ランダムデータ発生手段２４は、２５ミリ秒毎に例えば２の２４乗通りのランダムデータを発生する。ランダムデータ発生手段２４のプログラム又は回路構成は従来技術によるものである。
【００２７】
ゆらぎデータ生成手段２５ａが生成するゆらぎデータは、ゆらぎ正データＢ１と、それをゆらぎ中心値を基準に反転して生成されたゆらぎ反転データＢ２からなる。具体的には、以下のようにしてゆらぎデータＢ１、Ｂ２を生成する。すなわち、ゆらぎデータ生成手段２５ａは、ランダムデータを（１／ｆ）特性のデジタルフィルタに通す。そして、範囲を超えると確率が非常に少なくなる妥当な値を上限値及び下限値とし、その範囲を５１２の値に圧縮して２５６をゆらぎ中心値としたゆらぎ正データＢ１を生成する。そして、ゆらぎ正データＢ１を２５６をゆらぎ中心値として反転してゆらぎ反転データＢ２を生成する。このようにして、ランダムデータを変換する。ゆらぎ正データＢ１及びゆらぎ反転データＢ２は、それぞれ例えば図４に示す波形Ｂ１、Ｂ２のようになり、その取りうる値は１〜５１１である。
【００２８】
演算手段２６は、パターンデータ生成手段２３ａからのパターンデータＡとゆらぎデータ生成手段２５ａからのゆらぎ正データＢ１を加算して光量調整データＣ１を生成し、パターンデータＡとゆらぎデータ生成手段２５ａからのゆらぎ反転データＢ２を加算して光量調整データＣ２を生成する。図５に示す光量調整データＣ１の波形は、図４のパターンデータＡの波形とゆらぎ正データＢ１の波形を加算したものであり、光量調整データＣ２の波形は、図４のパターンデータＡの波形とゆらぎ反転データＢ２の波形を加算したものである。なお、無風時には、パターンデータＡの値はゼロであるので、光量調整データＣ１はゆらぎ正データＢ１と同じであり、光量調整データＣ２はゆらぎ反転データＢ２と同じである。
【００２９】
演算手段２６は、光量調整データＣ１、Ｃ２の信号を、例えば１周期が１２５μ秒で最大値が１０２４のＰＷＭ（Pulse  Width  Modulation）信号の形で出力する。このＰＷＭ信号波形は、２５ミリ秒毎、すなわち２００周期に変化することになる。例えば、パターンデータＡの値が２４０、ゆらぎ正データＢ１の値が２６８、ゆらぎ反転データＢ２の値が２４４の場合、光量調整データＣ１は５０８、光量調整データＣ２は４８４になり、このＰＷＭ信号波形は図６のようになる。
【００３０】
光源光量調整手段２７は、具体的には、コレクタが第１の光源１１ａの陰極に接続された第１トランジスタ２７１Ｔと、コレクタが第２の光源１１ｂの陰極に接続された第２トランジスタ２７２Ｔを有している。第１トランジスタ２７１Ｔは、ベースに光量調整データＣ１のＰＷＭ信号が入力され、それに応じて第１及び第３の光源１１ａ、１１ｃに電流を流す。第２トランジスタ２７２Ｔは、ベースに光量調整データＣ２のＰＷＭ信号が入力され、それに応じて第２及び第４の光源１１ｂ、１１ｄに電流を流す。こうして、光量調整データＣ１、Ｃ２に応じて光源手段１１の光量を調整する。また、第１トランジスタ２７１Ｔのエミッタと接地電位間、及び第２トランジスタ２７２Ｔのエミッタと接地電位間には、それぞれのトランジスタに流れる電流を検出するための抵抗器２７１Ｒ、２７２Ｒが設けられている。
【００３１】
ＤＣ／ＤＣ制御手段２８ａは、第１トランジスタ２７１Ｔのエミッタと抵抗器２７１Ｒとの接続点及び第２トランジスタ２７２Ｔのエミッタと抵抗器２７２Ｒとの接続点に接続され、それらに生じる電圧を入力する。それにより、第１トランジスタ２７１Ｔのオン時に第１及び第３の光源１１ａ、１１ｃに流れる電流の電流値と第２トランジスタ２７２Ｔのオン時に第２及び第４の光源１１ｂ、１１ｄに流れる電流の電流値をそれぞれ検出する。ＤＣ／ＤＣ変換手段２９は、その検出されたそれぞれの電流の電流値が一定になるように光源手段１１（具体的には第３の光源１１ｃと第４の光源１１ｄ）の陽極にかかる印加電圧を調整する。こうすることにより、バッテリ部４の電池４１、４１、・・・の消耗によってそれが供給する電源電圧ＶＣＣが低下しても光源手段１１の光量は影響を受けなくなる。なお、検出されたそれぞれの電流の電流値は、所定期間だけ平均化されることが望ましい。また、光源（具体的にはＬＥＤ）の特性のバラツキが小さい場合は、ＤＣ／ＤＣ制御手段２８ａは、第１及び第３の光源１１ａ、１１ｃに流れる電流の電流値と第２及び第４の光源１１ｂ、１１ｄに流れる電流の電流値のいずれかを検出するか又はそれぞれを検出して合計するかを行い、ＤＣ／ＤＣ変換手段２９は、第３の光源１１ｃと第４の光源１１ｄの陽極にかかる印加電圧を共通にして調整することも可能である。また、バッテリ部４の電池４１、４１、・・・の消耗による影響を考慮しないならばＤＣ／ＤＣ制御手段２８ａ及びＤＣ／ＤＣ変換手段２９は省略可能である。
【００３２】
次に、照明装置１の全体の動作を説明する。無風時には、光量調整データＣ１、Ｃ２はゆらぎデータＢ１、Ｂ２と同じであるので、第１及び第３の光源１１ａ、１１ｃの光量と第２及び第４の光源１１ｂ、１１ｄの光量はそれぞれ、ゆらぎ正データＢ１とゆらぎ反転データＢ２の変化に従ってゆらぐ。これにより、行灯等の炎による照明装置によく類似した照明となる。また、各々の瞬間（ＰＷＭ信号の１周期）において、光量調整データＣ１と光量調整データＣ２の和は５１２であるので、第１及び第３の光源１１ａ、１１ｃと第２及び第４の光源１１ｂ、１１ｄに流れる合計電流は常に一定であり、光源手段１１の合計光量は常に一定となる。これにより、炎の大きさ自体は変化せず、炎の向きがゆらいで変わることと類似した照明となる。
【００３３】
風が検出された時、パターンデータＡの値は正の値となるので、光量調整データＣ１はゆらぎ正データＢ１がパターンデータＡの値だけシフトされた値となり、光量調整データＣ２はゆらぎ反転データＢ２がパターンデータＡの値だけシフトされた値となる。第１及び第３の光源１１ａ、１１ｃの光量は、ゆらぎ正データＢ１の変化に従ってゆらぐと共に、パターンデータＡの値に従って全体的に増大する。第２及び第４の光源１１ｂ、１１ｄの光量は、ゆらぎ反転データＢ２の変化に従ってゆらぐと共に、パターンデータＡの値に従って全体的に増大する。これにより、風を受けることでより多くの酸素に触れ、炎の大きさが増大する古来の照明装置に類似した照明となる。また、パターンデータＡの値は増加した後、増加速度よりも速く減少して元に戻るが、これも炎の振る舞いに似せるようにしたものである。更にその後、光量が再度異なる値でもって増加して減少するようにして揺り返しを発生させている。
【００３４】
ここで着目すべきは、無風時から風が検出された時への移行、及び風が検出された時から無風時への移行がスムーズに行われることである。特に、光量の変化が微妙な箇所である風が検出された時の動作の終わりにおいて、不自然さが防止される。これは、空気が流れない場合を含む空気の流れに応じて時間的に値が変化するパターンデータＡを生成し、パターンデータＡとゆらぎ正データＢ１とを加算及びパターンデータＡとゆらぎ反転データＢ２とを加算して光量調整データＣ１、Ｃ２を生成し、それらに応じて光源手段１１の光量を調整しているからである。
【００３５】
次に、前述のフィルタ回路２２ａとパターンデータ生成手段２３ａをそれぞれ変形したフィルタ回路２２ｂとパターンデータ生成手段２３ｂを備える実施形態（図示せず）について説明する。フィルタ回路２２ｂは、それを構成する抵抗器とコンデンサの時定数が大きく、積分回路となっており、風によって発生する信号を積分するものである。フィルタ回路２２ｂの出力信号である風検出信号Ｓは、例えば図７に示すような波形となる。パターンデータ生成手段２３ｂは、ＡＤ変換器を有し、風検出信号ＳをＡＤ変換する。そして、得られたデジタル値を演算して（例えば反転及び定数を掛けて）パターンデータＡを生成する。このパターンデータＡは、ＲＯＭ等の記憶手段に記憶されていたものではなく、実際の風の動作に依存している。従って、この実施形態では、風による炎の振る舞いにより似せることが可能になる。
【００３６】
次に、前述のゆらぎデータ生成手段２５ａ、ＤＣ／ＤＣ制御手段２８ａをそれぞれ変形したゆらぎデータ生成手段２５ｂ、ＤＣ／ＤＣ制御手段２８ｂを備え、演算手段２６を削除した実施形態を図８に基づいて説明する。ゆらぎデータ生成手段２５ｂは、ゆらぎ正データＢ１の信号とゆらぎ反転データＢ２の信号をＰＷＭ信号（例えば１周期が１２５μ秒で最大値が５１２）の形で光源光量調整手段２７に出力する。すなわち、図３の実施形態における演算手段２６は削除され、その光量調整データＣ１、Ｃ２の信号はゆらぎデータＢ１、Ｂ２の信号に置き換えられている。パターンデータＡは、ＤＣ／ＤＣ制御手段２８ｂに入力され、ＤＣ／ＤＣ制御手段２８ｂは、前述の動作の他に、パターンデータＡの値に応じてＤＣ／ＤＣ変換手段２９を制御する。具体的には、ＤＣ／ＤＣ制御手段２８ｂは、パターンデータＡの値の増加及び減少に比例して光源手段１１への印加電圧を増加及び減少させる。従って、図３の実施形態と同様に、第１及び第３の光源１１ａ、１１ｃの光量は、ゆらぎ正データＢ１の変化に従ってゆらぐと共に、パターンデータＡの値に従って全体的に増大する。第２及び第４の光源１１ｂ、１１ｄの光量は、ゆらぎ反転データＢ２の変化に従ってゆらぐと共に、パターンデータＡの値に従って全体的に増大する。
【００３７】
この図８の実施形態は、図３の実施形態と同様な効果を奏す。また、ゆらぎデータ生成手段２５ｂが出力するゆらぎ正データＢ１のＰＷＭ信号をその最大値（例えば５１２）がゆらぎ中心値（例えば２５６）の倍となるようにすれば、ゆらぎ反転データＢ２のＰＷＭ信号はゆらぎ正データＢ１のＰＷＭ信号を反転回路（インバータ）を通して反転することにより生成することができる。例えば、ゆらぎ正データＢ１の値が２６８の場合、ゆらぎ反転データＢ２の値は２４４であり、それらのＰＷＭ信号波形は図９のようになる。従って、ＰＷＭ信号を生成する回路が１個省略可能になる。
【００３８】
なお、本実施形態は光源手段として４個の光源を備えているので、照明装置１をどの方向から見ても照明を観察することができるが、観察の方向が制限されているのならば、光量制御部１２はそのままにして光源手段の光源を３個或いは２個にすることも可能である。逆に、光源手段の光源を増やすことも可能である。
【００３９】
以上、本発明の望ましい実施形態に係る照明装置について説明したが、本発明は、実施形態に記載したものに限られることなく、特許請求の範囲に記載した事項の範囲内でのさまざまな設計変更が可能である。例えば、パターンデータＡ、ゆらぎデータＢ１、Ｂ２に用いた値、ＰＷＭ信号の周期などは照明装置全体の特性に合わせて変更可能であることは勿論である。
【図面の簡単な説明】
【００４０】
【図１】本発明の実施形態に係る照明装置の正面視断面図である。
【図２】同上の照明装置を覆う覆体の一例を示す正面図である。
【図３】同上の照明装置の回路を示すブロック図である。
【図４】同上の照明装置におけるパターンデータとゆらぎデータの波形図である。
【図５】同上の照明装置における光量調整データの波形図である。
【図６】同上の照明装置における光量調整データのＰＷＭ信号波形の一例である。
【図７】同上の照明装置における風検出信号の一例である。
【図８】同上の照明装置の別の回路を示すブロック図である。
【図９】同上の照明装置におけるゆらぎデータのＰＷＭ信号波形の一例である。
【符号の説明】
【００４１】
１  照明装置
３  風検出機構部（風検出手段）
２１  プルアップ抵抗器（風検出手段）
２２ａ、２２ｂ  フィルタ回路（風検出手段）
５（５ａ、５ｂ、５ｃ）  筐体
１１  光源手段
１１ａ、１１ｂ、１１ｃ、１１ｄ  第１〜第４の光源
２３ａ、２３ｂ  パターンデータ生成手段
２４  ランダムデータ発生手段
２５ａ、２５ｂ  ゆらぎデータ生成手段
２６  演算手段
２７  光源光量調整手段
２８ａ、２８ｂ  ＤＣ／ＤＣ制御手段
２９  ＤＣ／ＤＣ変換手段
３１  第１の導電部材
３２  第２の導電部材
Ａ  パターンデータ
Ｂ１  ゆらぎ正データ
Ｂ２  ゆらぎ反転データ
Ｃ１、Ｃ２  光量調整データ
【図１】
2007194176.tif 000003
【図２】
2007194176.tif 000004
【図３】
2007194176.tif 000005
【図４】
2007194176.tif 000006
【図５】
2007194176.tif 000007
【図６】
2007194176.tif 000008
【図７】
2007194176.tif 000009
【図８】
2007194176.tif 000010
【図９】
2007194176.tif 000011